(57)【要約】【課題】  ＶＲ（コンテンツ）を体感している間は効果的に外の光を遮断し、かつ、折りたたみ時には的確にレンズを保護する構成のＶＲグラスを提供することを目的とする。【解決手段】  表示装置と組み合わせるＶＲグラスであって、利用者が双眼鏡のように覗き込むことによって、前記利用者に前記表示装置が表示するＶＲコンテンツを体験させるＶＲグラスであって、表示装置を挟持する挟持部と、挟持部が一方側に設けられた本体と、本体の挟持部とは反対側の他方側に設けられたレンズ部と、を備え、レンズ部は、レンズ板を備え、レンズ板は、ＶＲ鑑賞時には、レンズ板と表示装置との間の空間を覆い、折りたたみ時には、レンズをカバーするカバーパーツを備えている。【選択図】  図１
2019009536.tif 000002
【特許請求の範囲】
【請求項１】
表示装置と組み合わせるＶＲグラスであって、利用者が双眼鏡のように覗き込むことによって、前記利用者に前記表示装置が表示するＶＲコンテンツを体験させるＶＲグラスであって、
前記表示装置を挟持する挟持部と、
前記挟持部が一方側に設けられた本体と、
前記本体の、前記挟持部とは反対側の他方側に設けられたレンズ部と、
を備え、
前記レンズ部は、
前記本体の他方端に第１ヒンジを介して接続され、前記利用者の右目が覗き込む右レンズ板と、
前記本体の他方端に第２ヒンジを介して接続され、前記利用者の左目が覗き込む左レンズ板と、
を備え、
前記右レンズ板は、
右レンズがはめ込まれる孔と、
前記右レンズ板の前記孔にはめ込まれ、前記利用者の右目が覗き込む前記右レンズと、
前記右レンズ板と第３ヒンジを介して連結するカバーパーツであって、前記右及び左レンズ板が前記挟持部側に折りたたまれて前記右レンズと前記左レンズとが対面する位置にある場合に、前記第３ヒンジを介して第１の回転方向に回動して前記右レンズを覆う第１位置に移動し、前記右及び左レンズ板が前記挟持部側とは離れる方向に回動して前記右レンズ板と前記左レンズ板とが同一平面上で平行な位置にある場合に、前記ヒンジを介して前記第１の回転方向とは逆の第２の回転方向に回動して前記右レンズ板から前記挟持部側方向に伸展し、前記右レンズ板と前記挟持部との間の空間を覆う第２位置に移動する右側カバーパーツと、
を具備し、
前記左レンズ板は、
左レンズがはめ込まれる孔と、
前記左レンズ板の前記孔にはめ込まれ、前記利用者の左目が覗き込む前記左レンズと、
前記左レンズ板と第４ヒンジを介して連結するカバーパーツであって、前記右及び左レンズ板が前記挟持部側に折りたたまれて前記右レンズと前記左レンズとが対面する位置にある場合に、前記第４ヒンジを介して第３の回転方向に回動して前記左レンズを覆う第３位置に移動し、前記右及び左レンズ板が前記挟持部側とは離れる方向に回動して前記右レンズ板と前記左レンズ板とが同一平面上で平行な位置にある場合に、前記ヒンジを介して前記第３の回転方向とは逆の第４の回転方向に回動して前記左レンズ板から前記挟持部側方向に伸展し、前記左レンズ板と前記挟持部との間の空間を覆う第４位置に移動する左側カバーパーツと、
を具備することを特徴とするＶＲグラス。
【請求項２】
前記右カバーパーツは、前記右レンズ板の少なくとも右レンズを覆うための面積及び形状をなしており、前記第１位置において前記右レンズを覆い、
前記左カバーパーツは、前記左レンズ板を少なくとも左レンズを覆うための面積及び形状をなしており、前記第３位置において前記左レンズを覆うことを特徴とする請求項１記載のＶＲグラス。
【請求項３】
前記右カバーパーツは、前記右レンズ板と前記左レンズ板とが同一平面上で平行な位置にある場合における前記右レンズ板と前記表示装置との距離と同様の長さを有しており、前記右カバーパーツは、前記第２位置において、前記右レンズ板と前記表示装置との間の空間を覆い、
前記左カバーパーツは、前記右レンズ板と前記左レンズ板とが同一平面上で平行な位置にある場合における前記左レンズ板と前記表示装置との距離と同様の長さを有しており、前記左カバーパーツは、前記第４位置において、前記左レンズ板と前記表示装置との間の空間を覆うことを特徴とする請求項１記載のＶＲグラス。
【請求項４】
前記右及び左レンズ板が前記挟持部側に折りたたまれて前記右レンズと前記左レンズとが対面する位置にある場合に、前記右レンズを隠すために、前記右レンズ板は、前記右レンズ板の端部から、前記左レンズ板に向かって伸展する右縁壁部を備え、
前記右及び左レンズ板が前記挟持部側に折りたたまれて前記右レンズと前記左レンズとが対面する位置にある場合に、前記左レンズを隠すために、前記左レンズ板は、前記左レンズ板の端部から、前記右レンズ板に向かって伸展する左縁壁部を備えていることを特徴とする請求項１から３のいずれか１項に記載のＶＲグラス。
【請求項５】
前記右カバーパーツは、前記第３ヒンジを介して少なくとも２７０度回動でき、前記左カバーパーツは、前記第４ヒンジを介して少なくとも２７０度回動できることを特徴とする請求項１から４のいずれか１項に記載のＶＲグラス。
【請求項６】
前記右カバーパーツおよび前記左カバーパーツは、交換可能であることを特徴とする請求項１から請求項６のいずれか１項に記載のＶＲグラス。
【発明の詳細な説明】
【技術分野】
【０００１】
本発明は、ＶＲコンテンツを体験・鑑賞する手段の一つであるＶＲグラス（VR glass）に関する。特に、スマートホン（Smart Phone：以下、スマホと呼ぶ）等の表示装置を利用したＶＲグラスに関する。
【背景技術】
【０００２】
ＶＲ（Virtual Reality）とは
ＶＲとは、一般的に、「みかけや名前など表層的には少々異なるが、それぞれの目的に合わせて効果や機能などの本質的な部分が合致するように作られた現実。」のことをいう。学術的には以下の３種の条件を満たすものをＶＲという。
条件１：人間にとって自然な３次元空間がある
条件２：作られた環境と自分との間にリアルタイム相互作用がある
条件３：自分がその環境と繋がっていると感じる状態
これらの条件を高いレベルで実現するものから、手軽に実現するものまで種々のＶＲが存在し、この中でさらに以下のように様々なカテゴリーが存在する。ＶＲを含むコンテンツをＶＲコンテンツと呼ぶが、このＶＲコンテンツを体験するためには、基本的には、ヘッドセット、ディスプレイ、計算機の３つのハードウェア、及びＶＲコンテンツやそれが集まるプラットフォーム（ＰＦ）が必要となる。
現在、ＶＲは様々な分野で利用されており。市場においてＶＲは様々なカテゴリーのものが存在する。
【０００３】
スマートホン（Smart Phone：以下、スマホと略称する場合がある）が計算機とディスプレイを兼ねる所謂スマホＶＲをローエンドＶＲと呼ぶ。このローエンドＶＲの１種として、ＶＲグラスを用いる方法がある。
このＶＲグラスをハードウェアとして用いれば、携帯端末のスクリーンを活用してVRを実現することができる。
ＶＲグラスによってＶＲを実現した場合、ＶＲへの没入感を出す方法として、外の光を遮断するサンバイザーが有効であると考えられ、サンバイザーを備えたＶＲグラスが従来から知られている。
他方、ＶＲグラスを携行する際に、よりコンパクトにするために折りたたんで収納するように構成することが考えられる。この場合、折りたたんだ時により小さくなるように工夫をするとともに、ＶＲグラスを構成するレンズがむき出しの状態にならないように、当該レンズをカバーするように構成することが好ましいとも考えられる。そのため、収納時にＶＲグラスを覆う袋やケースが一般に用いられている。このようにして、利用者はＶＲグラスを折りたたんでこの袋やケースに収容し、レンズを覆ったまま、ＶＲグラスを携行し、保管することができる。このように袋やケースはＶＲグラス本体を守るために重要な部材であるため、ＶＲグラスを折りたたんで収納するための袋やケースが、ＶＲグラス本体とは別に数種類用意されている場合もある。
【０００４】
＜先行特許文献＞
下記特許文献１には、タブレット型端末を利用したヘッドマウント型情報表示システムが開示されている。このヘッドマウント型情報表示システムによれば、タブレット型端末を取り付け可能であるため、仮想現実だけでなく、拡張現実も体験することが可能なヘッドマウント型情報表示システムを実現することができると記載されている。
【先行技術文献】
【特許文献】
【０００５】
【特許文献１】特開２０１６−５１２５号公報
【発明の概要】
【発明が解決しようとする課題】
【０００６】
このように、従来から知られているＶＲグラスにおいては、レンズカバーと、サンバイザーとは個別の部材として扱われている。しかし、レンズカバーとサンバイザーとを双方備えたのでは、いきおいＶＲグラスの構造が複雑となってしまう。さらに、レンズカバーとサンバイザーとを双方備えることによって、構成部品が増え、ＶＲグラスが大きくかさばるものとなってしまうことが予想される。他方、求められる形状は、レンズの焦点距離やレンズの直径や厚みといった大きさ、また左右のレンズの距離やレンズと表示装置までの距離などによって求められる要件、及び位置関係があり、レンズカバーとサンバイザーの二種の機能の両方を併せ持つパーツを含めてそれらの要件や位置関係を全て満たさなくてはならない。
本発明は上記事情に鑑みなされたものであり、ＶＲ（コンテンツ）を体感（鑑賞）している間は効果的に外の光を遮断し、かつ、折りたたみ時には的確にレンズを保護する構成のＶＲグラスを提供することを目的とする。
【課題を解決するための手段】
【０００７】
上記事情に鑑み、本願発明者は、鋭意研究を重ね、上で述べたＶＲグラスを展開した時に側面サンバイザーとして機能し、折りたたんで収納したときにレンズカバーとして機能するパーツ（後述するカバーパーツ）、すなわち、二種の機能の両方を併せ持つパーツを利用したＶＲグラスを実現することに成功し、本願発明をなすに至ったものである。
【０００８】
このようなパーツ（後述する右カバーパーツ１８、左カバーパーツ２０）を用いることによって、よりコンパクトで質の高いＶＲを実現するＶＲグラスを実現することができる。また、ＶＲグラスの展開時に、当該パーツの外側の面となる部分は、イラスト等の種々のデザインを施すことが可能である。したがって、ＶＲグラスの展開時には、係るイラストを外部に対して呈示することができるＶＲグラスが実現される。なお、ＶＲグラスの展開とは、折りたたまれているＶＲグラスを展開してＶＲを体験することができる状態にすることをいう。この展開をした状態を特に「展開時」と呼ぶ。利用者は、展開をした状態のＶＲグラスにスマホを装着し、これをレンズから覗くことによって、ＶＲを鑑賞することができる。
また、このパーツを交換可能に構成すれば、当該ＶＲグラスの利用者は、当該パーツを交換することによって、様々なデザインをライフスタイルに合わせて楽しむことができる。本発明は、具体的には下記のような手段を採用する。
【０００９】
第１の本発明は、（以下同様）、表示装置と組み合わせるＶＲグラスであって、利用者が双眼鏡のように覗き込むことによって、前記利用者に前記表示装置が表示するＶＲコンテンツを体験させるＶＲグラスであって、前記表示装置を挟持する挟持部と、前記挟持部が一方側に設けられた本体と、前記本体の、前記挟持部とは反対側の他方側に設けられたレンズ部と、を備え、前記レンズ部は、前記本体の他方端に第１ヒンジを介して接続され、前記利用者の右目が覗き込む右レンズ板と、前記本体の他方端に第２ヒンジを介して接続され、前記利用者の左目が覗き込む左レンズ板と、を備え、前記右レンズ板は、右レンズがはめ込まれる孔と、前記右レンズ板の前記孔にはめ込まれ、前記利用者の右目が覗き込む前記右レンズと、前記右レンズ板と第３ヒンジを介して連結するカバーパーツであって、前記右及び左レンズ板が前記挟持部側に折りたたまれて前記右レンズと前記左レンズとが対面する位置にある場合に、前記第３ヒンジを介して第１の回転方向に回動して前記右レンズを覆う第１位置に移動し、前記右及び左レンズ板が前記挟持部側とは離れる方向に回動して前記右レンズ板と前記左レンズ板とが同一平面上で平行な位置にある場合に、前記ヒンジを介して前記第１の回転方向とは逆の第２の回転方向に回動して前記右レンズ板から前記挟持部側方向に伸展し、前記右レンズ板と前記挟持部との間の空間を覆う第２位置に移動する右側カバーパーツと、を具備し、前記左レンズ板は、左レンズがはめ込まれる孔と、前記左レンズ板の前記孔にはめ込まれ、前記利用者の左目が覗き込む前記左レンズと、前記左レンズ板と第４ヒンジを介して連結するカバーパーツであって、前記右及び左レンズ板が前記挟持部側に折りたたまれて前記右レンズと前記左レンズとが対面する位置にある場合に、前記第４ヒンジを介して第３の回転方向に回動して前記左レンズを覆う第３位置に移動し、前記右及び左レンズ板が前記挟持部側とは離れる方向に回動して前記右レンズ板と前記左レンズ板とが同一平面上で平行な位置にある場合に、前記ヒンジを介して前記第３の回転方向とは逆の第４の回転方向に回動して前記左レンズ板から前記挟持部側方向に伸展し、前記左レンズ板と前記挟持部との間の空間を覆う第４位置に移動する左側カバーパーツと、を具備する。
【００１０】
第２の本発明は、請求項１記載のＶＲグラスにおいて、前記右カバーパーツは、前記右レンズ板の少なくとも右レンズを覆うための面積及び形状をなしており、前記第１位置において前記右レンズを覆い、前記左カバーパーツは、前記左レンズ板を少なくとも左レンズを覆うための面積及び形状をなしており、前記第３位置において前記左レンズを覆うことを特徴とする。
【００１１】
第３の本発明は、請求項１記載のＶＲグラスにおいて、前記右カバーパーツは、前記右レンズ板と前記左レンズ板とが同一平面上で平行な位置にある場合における前記右レンズ板と前記表示装置との距離と同様の長さを有しており、前記右カバーパーツは、前記第２位置において、前記右レンズ板と前記表示装置との間の空間を覆い、前記左カバーパーツは、前記右レンズ板と前記左レンズ板とが同一平面上で平行な位置にある場合における前記左レンズ板と前記表示装置との距離と同様の長さを有しており、前記左カバーパーツは、前記第４位置において、前記左レンズ板と前記表示装置との間の空間を覆うことを特徴とする。
【００１２】
第４の本発明は、請求項１から３のいずれか１項に記載のＶＲグラスにおいて、前記右及び左レンズ板が前記挟持部側に折りたたまれて前記右レンズと前記左レンズとが対面する位置にある場合に、前記右レンズを隠すために、前記右レンズ板は、前記右レンズ板の端部から、前記左レンズ板に向かって伸展する右縁壁部を備え、前記右及び左レンズ板が前記挟持部側に折りたたまれて前記右レンズと前記左レンズとが対面する位置にある場合に、前記左レンズを隠すために、前記左レンズ板は、前記左レンズ板の端部から、前記右レンズ板に向かって伸展する左縁壁部を備えていることを特徴とする。
【００１３】
第５の本発明は、請求項１から４のいずれか１項に記載のＶＲグラスにおいて、前記右カバーパーツは、前記第３ヒンジを介して少なくとも２７０度回動でき、前記左カバーパーツは、前記第４ヒンジを介して少なくとも２７０度回動できることを特徴とする。
【００１４】
第６の本発明は、請求項１から請求項６のいずれか１項に記載のＶＲグラスにおいて、前記右カバーパーツおよび前記左カバーパーツは、交換可能であることを特徴とする。
【発明の効果】
【００１５】
本発明のＶＲグラスによれば、折りたたんで携行する場合、カバーパーツによってレンズを保護することができ、またＶＲを体感（鑑賞）する際には、カバーパーツがサンバイザーとしての役割を果たすので、よりＶＲに対する没入感を向上させることが可能である。
【図面の簡単な説明】
【００１６】
【図１】実施形態のＶＲグラスの外観図（平面図）であって、ＶＲを体感する際（展開時）の形態を表す説明図である。
【図２】実施形態のＶＲグラスの外観図（平面図）であって、折りたたんだ場合の形態を表す説明図である。
【図３】実施形態のＶＲグラスの外観図（背面図）であって、ＶＲを体感する際（展開時）の形態を表す説明図である。
【図４】実施形態のＶＲグラスの外観図（背面図）であって、折りたたんだ場合の形態を表す説明図である。
【図５】実施形態のＶＲグラスの右側面図であって、ＶＲを体感する際（展開時）に、カバーパーツを透明とした場合の様子を示す説明図である。
【図６】実施形態のＶＲグラスの右側面図であって、折りたたんだ場合の様子を表す説明図である。
【図７】実施形態において作成したＶＲグラス１０を右側面から見た写真である。
【図８】実施形態において作成したＶＲグラス１０と、ＶＲグラス１０に装着する表示装置であるスマートホンを並べて表示した写真である。
【図９】実施形態において作成したＶＲグラス１０の右レンズ板１４と左レンズ板１６とを所定角度展開した様子を示す写真である。
【図１０】右レンズ板１４と左レンズ板１６とを完全に展開し、右レンズ板１４と左レンズ板１６とが同一平面上で平行な位置になった場合の様子を示す写真である。
【図１１】図１０の状態から、右カバーパーツ１８、左カバーパーツ１０を展開していった写真である。
【図１２】図１１の状態から、右カバーパーツ１８、左カバーパーツ１０をさらに展開し、右レンズ板１４、左レンズ板１６と直角になった状態を示す写真である。
【図１３】表示装置２４を取り付けたＶＲグラス１０を、表示装置２４側から見た写真である。
【図１４】表示装置２４を取り付けたＶＲグラス１０を、右レンズ板１４、左レンズ板１６側から見た写真である。
【図１５】従来技術であるＢＡＳＥＵＳ社のＶＲゴーグルを示す図である。
【図１６】従来技術であるモジ株式会社のキャラメルＶＲを示す図である。
【図１７】従来技術であるＨＯＭｉＤＯ  ＪＡＰＡＮ社のＨＯＭｉＤＯ  Ｍｉｎｉ  ＶＲグラスを示す図である。
【図１８】従来技術であるＨＯＭｉＤＯ  ＪＡＰＡＮ社のＨＯＭｉＤＯ  Ｍｉｎｉ  ＶＲグラスを折りたたんだ様子を示す図である。
【発明を実施するための形態】
【００１７】
以下、図面を参照して本発明を具体化した実施形態について説明する。
第１．ＶＲグラスの構成
（１）平面図から見たＶＲグラスの構成
図１には、本実施形態のＶＲグラス１０の平面図が示されている。同図は、ＶＲグラス１０を展開した状態の平面図である。同図に示すように、ＶＲグラス１０は、本体１２を備えている。本体１２は略板状をなしており、一方側（正面側）は表示装置を取り付ける挟持部１２ａを形成している。本体１２の反対側の他方側１２ｂ（背面側）には、第１ヒンジ１２ｃを介して、回動可能に連結する右レンズ板１４が備えられている。また、本体１２の同じく他方側１２ｂには、本体１２と第２ヒンジ１２ｄを介して回動可能に連結する左レンズ板１６が備えられている（図１参照）。
【００１８】
右レンズ板１４の第１ヒンジ１２ｃの周囲は、ギヤ２２ａを構成し、左レンズ板１８の第２ヒンジ１２ｄの周囲は、ギヤ２２ｂを構成している。そして、ギヤ２２ａとギヤ２２ｂとが噛み合うことによって、右レンズ板１４と左レンズ板１８とは、本体１２に対して同じ角度で回動する（図１参照）。
【００１９】
右レンズ板１４が本体１２と連結する側（他方側１２ｂ）の反対側には、第３ヒンジ１４ａを介して右カバーパーツ１８が回動可能に連結している。また、左レンズ板１８が本体１２と連結する側（他方側１２ｂ）の反対側には、第４ヒンジ１６ａを介して左カバーパーツ２０が回動可能に連結している（図１参照）。なお、後述するように、右カバーパーツ１８は、折りたたみ時に右レンズ板１４を覆うように回動するが、その際、右レンズ板とより一体になるように、段差１４ｂが右レンズ板１４に設けられている（図１参照）、その結果、右カバーパーツ１８の縁部が当該段差１４ｂに勘合して、より表面が滑らかな状態に折りたたむことが可能である。また、左レンズ板１６にも同様の趣旨から、段差１６ｂが設けられており、段差１４ｂと同様の働きを行う。
【００２０】
＜段差１４ｂ、１６ｂの意義＞
このように、右レンズ板１４は、折りたたみ時に右カバーパーツ１８も含めて面が平らに収まるように、右カバーパーツの厚さ分だけ、右レンズ板１４を薄くしたものであり、薄くせずに残った部分との厚みの差が段差１４ｂとして形成されたものである。同様に、左レンズ板１６は、折りたたみ時に左カバーパーツ２０も含めて面が平らに収まるように、左カバーパーツの厚さ分だけ、左レンズ板１６を薄くしたものであり、薄くせずに残った部分との厚みの差が段差１６ｂとして形成されたものである。
【００２１】
ＶＲグラス１０は、図１に示すような展開した状態で挟持部１２ａに所定の表示装置２４を取り付け、右レンズ板１４及び左レンズ板１６に設けられているレンズ（不図示）を通じて利用者が、方向Ｃ（図１参照）に向かって覗く。このような動作によって、利用者は表示装置が表示するＶＲコンテンツを体感することができる。表示装置２４は種々の装置を利用することができる。例えば、スマートホンや各種携帯端末、タブレット型コンピュータ等を利用可能である。
【００２２】
本実施形態において特徴的なことは、ＶＲグラス１０の展開時に、右カバーパーツ１８が、表示装置２４と右レンズ板１４との間の空間を覆っていることである。同様に、左カバーパーツ２０は、表示装置２４と左レンズ板１６との間の空間を覆っていることが特徴的なことである。このような構成によって、外光の影響を抑制し、利用者は、ＶＲにより没入することができる。なお、右カバーパーツ１８や左カバーパーツ２０の外面には種々の装飾を施すことが可能であり、例えばイラスト等を描くことも好適である。
【００２３】
図２は、図１と同様に、ＶＲグラス１０の平面図であるが、ＶＲグラス１０を折りたたんだ時の様子を示す平面図である。
図１に示す展開した状態から、左カバーパーツ２０を図１の矢印Ａの方向に回動させて、左レンズ板１６のレンズを覆わせることができる。さらに、左レンズ板１６（と左カバーパーツ２０とを合わせて）を、図１の矢印Ｂ方向に回動させることによって、ＶＲグラス１０を折りたたむことができる。なお、右側も回転方向が逆になるだけで同様の動きで折りたたむことができる。上述したように、右レンズ板１４と左レンズ板１６とはギヤ２２ａ、ギヤ２２ｂで連結しているので、右レンズ板１４と左レンズ板１６とは同時に同じように回動させて折りたたむことが好適である。
このように、本実施形態によれば、レンズをカバーしながら折りたたむことが可能なＶＲグラス１０を実現しているので、携帯に便利で、かつ、レンズを傷つけにくいＶＲグラス１０を提供することができる。
【００２４】
このようにして折りたたんだ状態のＶＲグラス１０の平面図が図２である。本体１２に、右レンズ板１４と左レンズ板１６とが重ねられて、コンパクトに携帯しやすい形態をとることができる。さらに、右カバーパーツ１８と左カバーパーツ２０とが右レンズ板１４と左レンズ板１６とに重畳して折りたたまれているので、右レンズ板１４と左レンズ板１６とに設けられているレンズ（不図示）を保護することができ、別途ＶＲグラス１０の収納ケース等を用意しなくても左右のレンズを傷つける恐れがない。
【００２５】
（２）背面図から見たＶＲグラス１０の構成
図３には、ＶＲグラス１０を展開した状態、すなわち図１と同じ状態においてＶＲグラス１０を後ろから見た背面図が示されている。すなわち図１の矢印Ｃ方向から見た背面図である。この図に示すように、本体１２には、第１ヒンジ１２ｃ、第２ヒンジ１２ｄを介して、それぞれ右レンズ板１４と、左レンズ板１６とが連結している。なお、上述したように、右レンズ板１４と、左レンズ板１６とは、ギヤ２２ａ、ギヤ２２ｂによって連動して回動する。
【００２６】
そして、右レンズ板１４には、所定の孔が設けられており、この孔に右レンズ１４ｃが取り付けられている。同様に、左レンズ板１６にも、所定の孔が設けられており、この孔に左レンズ１６ｃが取り付けられている（図３参照）。また、右レンズ板１４には、右カバーパーツ１８が連結しており、左レンズ板１６には、左カバーパーツ２０が連結している（図３参照）。
【００２７】
＜右縁部１４ｄ、左縁部１６ｄ＞
なお、右レンズ板１４の下部の右縁部１４ｄ（図３参照）は、折りたたんだ時に左レンズ板１６との間に隙間ができないように、その右縁部１４ｄから左レンズ板１６に向かって所定量伸展しており、その伸展部分が右縁壁部１４ｅを形成している（図４参照）。同様に、左レンズ板１６の下部の左縁部１６ｄからも、折りたたんだ時に、右レンズ板１４に向けて所定量伸展しており、伸展部分が左縁壁部１６ｅを形成している（図１４参照）。これら右縁壁部１４ｅ、左縁壁部１６ｅは折りたたみ時に密着し、右レンズ１４ｃや左レンズ１６ｃにほこり等がかかることを防止している（図４参照）。
【００２８】
＜折りたたんだ状態＞
図４は、図３と同様に、ＶＲグラス１０の背面図であるが、図３と異なり、ＶＲグラス１０を折りたたんだ時の様子を示す背面図である。
図３に示す展開した状態から、図２で説明したような動作で折りたためば、図４に示すように、本体１２と、右レンズ板１４と、左レンズ板１６とが重なるように折りたたむことができ、携帯性に優れた状態とすることができる。
【００２９】
このように、本実施形態によれば、レンズ（右レンズ１４ｃ、左レンズ１６ｃ）をカバーしながら折りたたむことが可能なＶＲグラス１０を実現しているので、携帯に便利で、かつ、携帯時にレンズ（右レンズ１４ｃ、左レンズ１６ｃ）を傷つけにくいＶＲグラス１０を提供することができる。
【００３０】
特に、図３でも説明したように、右レンズ板１４の右縁部１４ｄと、左レンズ板１６の左縁部１６ｄとは、折りたたんだ際に概ね密着するように、互いに伸展している。右縁部１４ｄから伸展する部分は、右縁壁部１４ｄを形成し（図４参照）、左縁部１６ｄから伸展する部分は、左縁壁部１６ｅを形成する。この右縁壁部１４ｅと左縁壁部１６ｅとは、折りたたみ時に密着して、右レンズ１４ｃ、左レンズ１６ｃにほこり等がかからないように保護している（図４参照）。なお、図４では、右レンズ１４ｃ、左レンズ１６ｃを描くために、第３ヒンジ１４ａ、第４ヒンジ１６ａは省略して図示していない。
【００３１】
＜右カバーパーツ１８、左カバーパーツ２０＞
このように、本実施形態において特徴的な構成である右カバーパーツ１８及び左カバーパーツ２０は、ＶＲグラス１０を展開した時には遮光性を担保するためのサンバイザーとして機能する。また、右カバーパーツ１８及び左カバーパーツ２０は、ＶＲグラス１０を折りたたんだ際には、右レンズ１４ｃ左レンズ１６ｃを外部から保護するためのカバーとして機能する。
また、上述したように、右カバーパーツ１８は、第３ヒンジ１４ａを回転軸として、少なくとも２７０度回動しうるものである。また、右カバーパーツ１８は、２９０度程度まで回動可能なように構成してもよい。同様に左カバーパーツ２０も、第４ヒンジ１６ａを回転軸として、少なくとも２７０度回動しうるものである。また、左カバーパーツ２０も、２９０度程度まで回動可能なように構成してもよい。
【００３２】
＜ギヤ２２ａ、２２ｂ＞
また、以上説明したように、右レンズ板１４を展開するときも、同じ角度で左レンズ板１６も展開するように、ギヤ２２ａ、ギヤ２２ｂが設けられている。逆に左レンズ板１６を展開する場合も、この仕組みによって、同じ角度で右レンズ板１４も展開する。
【００３３】
（３）側面図から見たＶＲグラス１０の構成
ＶＲグラス１０を展開したときの矢印Ｄ（図３参照）から見た側面図が図５に示されている。この図においては、本体１２の側面を描くために、右カバーパーツ１８は、その輪郭のみ描かれており、透明なものとして描かれている。また、右レンズ１４ｃも本ら透明であるので、図５においてはその輪郭のみが描かれている。左レンズ１６ｃは、右レンズ１４ｃに隠れているので、図示されない。
また、本体１２より奥側にある左カバーレンズ２０も、本体１２の形状を明確にするために、省略して描かれていない。なお、本体１２の形状を明確にするために、透明に描かれている右カバーパーツ１８、左カバーパーツ２０、右レンズ１４ｃ、左レンズ１６ｃ以外の各部材は黒く描かれている。
【００３４】
図５に示すように、本体１２の挟持部１２ａは、略コの字形の形状をなしており、そのコの字形で表示装置２４を挟持する。図５に示すように、コの字形の形状の内面には、山形の反対面の表示装置２４のスクリーン面と接触する部分にゴムが装着され、表示装置２４のスクリーン面を傷つけず、また表示装置がＶＲグラス１０から滑らないような滑り止めの役割を果たす。なお、本体１２自体は所定の硬質プラスチックで構成することができる。本体１２だけでなく他の部材も、概ね硬質プラスチックで構成してよい。ただし、右レンズ１４ｃ、左レンズ１６ｃは、透明度の高いプラスチック、またはガラスで構成することができる。
【００３５】
＜折りたたんだ状態＞
図６は、図５と同様に、ＶＲグラス１０の右側面図であるが、図５と異なり、ＶＲグラス１０を折りたたんだ時の様子を示す右側面図である。
図５に示す展開した状態から、図２で説明したような動作で折りたためば、図６に示すように、本体１２と、右レンズ板１４と、右カバーパーツ１８とが重なって折りたたまれ、携帯性に優れた状態とすることができる。
このように、右カバーパーツ１８が右レンズ板１４を覆うように重なっているため、右レンズ１４ｃが外部に露出させることなく、折りたたむことができ、レンズを傷つける心配をせずにＶＲグラス１０を携帯することができる。このようにして折りたたんだ状態のＶＲグラス１０の右側面図が図６に示されている。
【００３６】
第２．製作したＶＲグラス
以下、本願発明者らが実際に製作したＶＲグラス１０の展開の様子、表示装置２４を挟持する様子、折りたたんだ様子等を写真に基づき説明する。なお、これまで説明した図１〜図６の図面とは細部の形状が異なる場合もあるが、その本質的な動作は図１〜図６で説明した動作と同様である。
【００３７】
図７は、折りたたまれたＶＲグラス１０を右側面から見た写真であり、上述した図６に相当する写真である。図８は、折りたたまれたＶＲグラス１０と、ＶＲグラス１０に装着する表示装置２４であるスマートホンを並べて表示した写真である。
【００３８】
図９は、右レンズ板１４と左レンズ板１６とを所定角度（約４５度）展開した様子を示す写真である。右レンズ板１４と、左レンズ板１６とが、本体１２に対して同じ角度で開いていることが理解されよう。図１０は、ＶＲグラス１０の右レンズ板１４と左レンズ板１６とを完全に展開し、右レンズ板１４と左レンズ板１６とが同一平面上で平行な位置になった場合の様子を示す写真である
【００３９】
図１１は、図１０の状態から、右カバーパーツ１８を、右レンズ板１４から離れるように開いていった状態を示す写真である。すなわち、図１における矢印Ａとは反対方向に回動していった状態である。また、図１１では、同様に、左カバーパーツ２０が、左レンズ板１６から離れるように開いていった状態が示されている。
【００４０】
図１２は、図１１に対して、右カバーパーツ１８及び左カバーパーツ２０がさらに回動を続け、右レンズ板１４や左レンズ板１６と略直角となる位置になった状態を示す写真である。この状態は、図１で示した状態であり、ＶＲを鑑賞するための状態である。
【００４１】
図１２の状態のＶＲグラス１０の本体１２に表示装置２４を取り付けた様子が図１３に示されている。このように、本体１２の挟持部１２ａに表示装置２４が挟まるように取り付けられ、図５で説明したようなゴムで固定されている。ここでは、例えば、表示装置２４はスマートホンであり、その表示画面が、右レンズ板１４や左レンズ板１６の方向を向くように取り付けられている。
【００４２】
図１４は、ＶＲグラス１０に表示装置２４を取り付けた様子を、図１３と異なり、右レンズ板１４及び左レンズ板１６側から見た様子を示す写真である。これら図１３、図１４に示す状態がＶＲを鑑賞する状態であり、図１で示したＶＲグラス１０の状態である。
このような状態で、利用者は、右レンズ１４ｃを右目で覗き、左レンズ１６ｃを左目で覗くことによってＶＲを鑑賞することができる。
【００４３】
第３．従来のＶＲグラスとの比較
ＶＲグラスは、従来から種々のものが知られている。以下、代表的な製品の説明、及び本実施形態に係るＶＲグラス１０との比較説明を行う。
【００４４】
（１）ＢＡＳＥＵＳ  ＶＲ  ゴーグル
ＢＡＳＥＵＳ社のＶＲゴーグルが、例えば下記サイトで販売されている。
販売ページ(amazon)： https://www.amazon.co.jp/gp/product/B01CJQNTXC/
このＶＲゴーグルも、本実施形態のＶＲグラス１０と同様に、折りたたみ式の機構を備えている。その様子が図１５に示されている。このＢＡＳＥＵＳ社のＶＲゴーグルは、サンバイザーを備えており、スマートホン等の表示装置と、利用者が覗くレンズ部との間にサンバイザーが位置している（図１５参照）。しかし、ＢＡＳＥＵＳ社のＶＲゴーグルは、折りたたんだ状態で、レンズが露出しており、傷が付きやすい（図１５参照）。そのため、別途収納するための袋や所定の容器を用いる必要がある。
【００４５】
（２）キャラメルＶＲ（モジ株式会社）
モジ株式会社は、キャラメルＶＲと呼ぶＶＲゴーグルを販売しており、例えば下記サイトで販売されている。
販売ページ(amazon)： https://www.amazon.co.jp/gp/product/B01CJQNTXC/
このＶＲゴーグルも、本実施形態のＶＲグラス１０と同様に、折りたたみ式の機構を備えている。その様子が図１６に示されている。このキャラメルＶＲのＶＲゴーグルは、収容するためのケースは附属しているが（図１６参照）、サンバイザーは備えられていない。そのため、利用者が覗くレンズ部と、スマートホン等の表示装置等の間はオープン空間となっている。
【００４６】
（３）ＨＯＭｉＤＯ  Ｍｉｎｉ  ＶＲグラス（ＨＯＭｉＤＯ  ＪＡＰＡＮ）
ＨＯＭｉＤＯ  ＪＡＰＡＮは、ＨＯＭｉＤＯ  Ｍｉｎｉ  ＶＲグラスと呼ぶＶＲグラスを販売しており、例えば下記サイトで販売されている。
販売ページ(amazon)： https://www.amazon.co.jp/gp/product/B019D9F2XS/
このＶＲグラスも、本実施形態のＶＲグラス１０と同様に、スマートホン等を表示装置として用いるＶＲグラスである（図１７参照）。また、折りたたんだ様子が図１８に示されている。これらの図に示されているように、折りたたみの機構を備えてはいるものの、サンバイザーは備えられておらず、また、折りたたみ時にレンズ部分は外部に露出している。そのため、別途収容するための袋やケースが必要となる。
【００４７】
第４．変形例
（１）上述した実施形態では、右カバーパーツ１８、左カバーパーツ２０として略板状の部材を用いたが、外部からの光を遮断できればどのような形状でもよい。また、どのような装飾を施していてもよいし、利用者が気分に応じて交換可能に構成することもできる。利用者は好みに応じた右カバーパーツ１８、左カバーパーツ２０を用いることができ、楽しくＶＲを鑑賞することができる。
（２）上述した実施形態では、表示装置２４としてスマートホンを用いる例を説明したが、ＶＲ等を表示できる装置であればどのような機器を利用してもよい。タブレット型コンピュータでもよく、各種携帯端末でもよい。また、上述した実施形態では、表示装置２４を挟持する例を説明したが、どのような取り付け方法でもよい。
（３）上述した実施形態のＶＲグラス１０は、ＶＲを鑑賞するグラスとして説明したが、ＶＲ以外のものと混合して表示される場合も含めてよい。例えば、ＶＲをＡＲ（Augmented Reality）と混合させて表示させてもよい。
【００４８】
以上に示した本実施形態は、発明の構成の一例を示したものであり、構成は発明の範囲内において適宜変更することができる。
【符号の説明】
【００４９】
１０…ＶＲグラス
１２…本体
１２ａ…挟持部
１２ｂ…他方側
１２ｃ…第１ヒンジ
１２ｄ…第２ヒンジ
１４…右レンズ板
１４ａ…第３ヒンジ
１４ｂ…段差
１４ｃ…右レンズ
１４ｄ…右縁部
１４ｅ…右縁壁部
１６…左レンズ板
１６ａ…第４ヒンジ
１６ｂ…段差
１６ｃ…左レンズ
１６ｄ…左縁部
１６ｅ…左縁壁部
１８…右カバーパーツ
２０…左カバーパーツ
２２ａ、２２ｂ…ギヤ
２４…表示装置
Ａ、Ｂ、Ｃ、Ｄ…矢印
【図１】
2019009536.tif 000003
【図２】
2019009536.tif 000004
【図３】
2019009536.tif 000005
【図４】
2019009536.tif 000006
【図５】
2019009536.tif 000007
【図６】
2019009536.tif 000008
【図７】
2019009536.tif 000009
【図８】
2019009536.tif 000010
【図９】
2019009536.tif 000011
【図１０】
2019009536.tif 000012
【図１１】
2019009536.tif 000013
【図１２】
2019009536.tif 000014
【図１３】
2019009536.tif 000015
【図１４】
2019009536.tif 000016
【図１５】
2019009536.tif 000017
【図１６】
2019009536.tif 000018
【図１７】
2019009536.tif 000019
【図１８】
2019009536.tif 000020